【事件の表示】
　平成　９年特許願第２１４７９８号「ディスクドライブ装置」拒絶査定不服審判事件〔平成１１年　３月　９日出願公開、特開平１１−　６６５６８〕について、次のとおり審決する。
【結　論】
　本件審判の請求は、成り立たない。
【理　由】
I．手続の経緯 
　本件審判の請求に係る特許願（以下「本願」という。）は、平成９年８月８日に出願されたものであって、平成１８年２月１３日付けで拒絶すべきものである旨の査定がなされ、平成１８年３月２３日付けで拒絶査定不服審判が請求され、平成１８年４月２４日付けで手続補正書が提出されたものである。 
 　 
 　 
II．平成１８年４月２４日付け手続補正についての補正却下の決定 
 　 
　〔補正却下の決定の結論〕 
　平成１８年４月２４日付け手続補正（以下「本件補正」という。）を却下する。 
 　 
　〔理由〕 
　１．本件補正について補正の内容と目的 
　本件補正は明細書についてするもので、そのうち特許請求の範囲の補正内容は、
　
　−本件補正前− 
　「【請求項１】　光学ピックアップ機構が搭載されたキャリッジと、
　
該
　
該
　
該
　上記スキューベースを上記シャーシに対して傾動させて、光学ピックアップの上記光ディスクに対するスキュー角を調整するスキュー調整機構と、　
　上記キャリッジをガイド軸の軸方向に移動させるスレッド機構と、
　
上記スレッド機構を駆動する駆動部とを有し
　
上記駆動部を上記シャーシに配設した
　ことを特徴とするディスクドライブ装置。
　【請求項２】　
上記スレッド機構の減速機構を上記シャーシに設け、上記減速機構を介して上記駆動部の駆動力を上記キャリッジに伝達する
　
ことを特徴とする請求項１に記載したディスクドライブ装置。
　
【請求項３】
　ことを特徴とする請求項１に記載したディスクドライブ装置。
　
【請求項４】　上記スキュー調整機構を駆動するスキュー駆動部を上記シャーシに配設した
　
ことを特徴とする請求項１に記載したディスクドライブ装置。
 　 
　−本件補正後−　
　「【請求項１】　光学ピックアップ機構が搭載されたキャリッジと、
　
上記
　
上記キャリッジを上記ガイド軸の軸方向に移動させる駆動力を発生する駆動部と、
減速機構を有し、該減速機構を介して上記駆動部からの駆動力を上記キャリッジに伝達して、
　
上記
　
上記
　上記スキューベースを上記シャーシに対して傾動させて、光学ピックアップの上記光ディスクに対するスキュー角を調整するスキュー調整機構と、
　
上記スキュー調整機構を駆動するスキュー駆動部と、を有するディスクドライブ装置であって、
　
上記シャーシ上に、上記スレッド機構の上記減速機構と、上記駆動部と、上記スキュー駆動部とが設けられた
　ことを特徴とするディスクドライブ装置。
　【請求項２】　
上記シャーシ上に、上記光ディスクを回転駆動するスピンドルモータを配設した
　ことを特徴とする請求項１に記載したディスクドライブ装置。」
　
　というものである。
　要するに、本件補正前の請求項１に本件補正前の請求項２及び４に記載された発明特定事項を組み入れ本件補正後の請求項１とする、乃至、請求項２と４を削除して請求項数を２個とすることでの項番整理と、更に文言上の表現手法を多少変えての上記下線部が補正の内容である。
　そして、上記本件補正後の請求項１の記載は、シャーシ上に、キャリッジをガイド軸の軸方向に移動させるスレッド機構を構成する減速機構と、この減速機構を介してキャリッジを移動させる駆動力を発生する駆動部と、スキュー調整機構を駆動するスキュー駆動部と、が設けられている点を具体的にして限定するものであって、本件補正前の請求項１に係る発明を限定して減縮するものであるから、平成１８年法律第５５号改正附則第３条第１項によりなお従前の例によるとされる同法による改正前の特許法第１７条の２第４項第１号及び第２号の規定を満たすものと認める。 
　
　２．独立特許要件 
　次に、本件補正後の請求項１に記載された発明が、特許出願の際に独立して特許を受けることができるものであるか（平成１８年法律第５５号改正附則第３条第１項によりなお従前の例によるとされる同法による改正前の特許法第１７条の２第５項において準用する同法第１２６条第５項の規定を満たすか否か）について、以下に検討する。
　
　(2-1)本件補正後発明 
　本件補正での【請求項１】に記載された発明は、上記１．−本件補正後−に記載（以下「本件補正後発明」という。）しているとおりのものである。
 　 
　(2-2)各刊行物及び記載の内容について 
　これに対して、原査定の理由に引用された刊行物である、実願平０３−０３９８９６号（実開平０４−１３２６１６号）のマイクロフィルム（以下「刊行物１」という。）は、光ピックアップ送り装置に関するものであって、図面と共に以下の記載がある。（なお、下線は当審で付与した。） 
　 (i)「【実用新案登録請求の範囲】
　【請求項１】光学式信号読み取り機能を有する光ピックアップを光ディスクの内外周方向に移動させる光ピックアップ送り装置であって、前記光ピックアップに取り付けられたラックギヤを駆動するピニオンギヤを、前記光ピックアップが前記光ディスクに対して一定の距離と角度に保つことができるように、前記光ピックアップが移動する台を回動させるチルト機構の回動支点に近接した位置に設けたことを特徴とする光ピックアップ送り装置。
　【請求項２】光ピックアップに取り付けられたラックギヤがチルト運動した時に、ラックギヤの歯面がピニオンギヤの歯面に対して常に一定の噛み合いで当接できるように、ラックと光ピックアップの結合部に弾力性を持たせたことを特徴とする請求項１記載の光ピックアップ送り装置。」
　 (ii)「【考案の詳細な説明】
【０００１】
　【産業上の利用分野】
　本考案は、光ディスクを読み取り、もしくは記録する光学式記録再生装置に使用して有効な光ピックアップ送り装置に関するものである。
【０００２】
　【従来の技術】
　近年、光学式記録再生装置におけるレーザーディスクプレーヤは低コスト化に向い、チルト機構は光ピックアップが内外周に移動する台を、ある支点をもって回動させる機構により簡素化した方式を用いることが多い。
【０００３】
　以下に従来の光ピックアップ送り装置について説明する。
　図４は従来のチルト台上に送りモーターを設けた構成を示すものである。図４において、１は光ピックアップもしくは光ピックアップと一体になった移動台である。２はスピンドルモーターで、光ディスクを回転させる。３はチルト台で、この上を光ピックアップ１が移動する。４はガイドシャフトで、この軸に沿って光ピックアップ１が移動する。５はラックギヤで、７のピニオンギヤが回転することにより、ガイドシャフト４に沿って光ピックアップ１を移動させる。８は送りモーターで、チルト台３に取り付けられている。９はチルト軸で、この軸線を中心にチルト台３が回動する。１０はターンテーブルで、この上に光ディスクが載る。
【０００４】
　以上のように構成された光ピックアップ送り装置について、以下その動作について説明する。まず、ターンテーブル１０に載った図示しないディスクの反りやたわみに対して、光ピックアップ１との位置関係が一定になるように、チルト軸９を中心にチルト台３が回動する。この時、送りモーター８やピニオンギヤ７はチルト台３の上にあり、チルト台３と共に回動する。」
　 (iii)「【０００５】
　【考案が解決しようとする課題】
　しかしながら上記の従来の構成では、光ピックアップを載せた台上に光ピックアップを内外周方向に移動させるモーターを設けることになり、モーターの振動や、プレーヤの落下時にモーターの重量による台の変形等の問題がある。その解決方法として、モーターをチルト動作する台の外部に置くことが考えられるが、光ピックアップに直接ラックギヤを取り付けるという簡素な構成にした場合、台がチルト動作するにつれてラックギヤの歯とピニオンギヤの歯の位置と噛み合いが変化するという問題点を有していた。
【０００６】
　本考案は上記従来の問題点を解決するもので、ラックギヤとピニオンギヤの関係を一定に保ち易くすることで、チルト動作する台の外部にモーターを設けた場合でも、安定した光ピックアップを内外周に移動させることができる装置を、簡易に低コストで提供することを目的とする。」
　 (iv)「【０００７】
　【課題を解決するための手段】
　この目的を達成するために本考案の光ピックアップ送り装置は、光ピックアップが移動する距離に準じた長さのラックギヤが、樹脂もしくは板バネ等の弾力を持つ材料を介して光ピックアップに結合されていることと、光ピックアップを移動させる動力を伝えるピニオンギヤを、光ピックアップが載りチルト動作する台の外部でかつ、チルト支点に近接する位置に設ける構成を有している。
【０００８】
　【作用】
　この構成によって、チルト動作時にラックギヤとピニオンギヤの噛み合いが、
高さと傾きにおいて変化する問題を、ピニオンギヤをチルト支点の近くに置くことによって、高さの変化の影響を小さくすることと、ラックギヤを光ピックアップに対して弾力的に結合することによって、傾きの影響を小さくすることができる。」
　 (v)「【０００９】
　【実施例】
　以下本考案の一実施例について、図面を参照しながら説明する。
【００１０】
　
図１において、１は光ピックアップもしくは光ピックアップと一体になった移動台、２はスピンドルモーター、３はチルト軸９を中心に回動するチルト台、４はガイドシャフト、５は光ピックアップ１を移動させるラックギヤ、６は弾力的にたわむことができる、ラックギヤ５と光ピックアップ１の結合部、７はチルト台の外部の固定側にあり、ラックギヤ５を動かすピニオンギヤ、８は同じく固定側にある送りモーター、１０はディスクが載るターンテーブルである
【００１１】
　以上のように構成された光ピックアップ送り装置について、本考案による改善点である、二つの項目について、図２，図３を用いてその動作を説明する。
【００１２】
　まず、
図２の（ａ）はチルト軸９を中心に上方向にチルト動作をした側面図であり、ラックギヤ５もチルト軸９を中心に回動する。図２の（ｂ）は下方向にチルト動作した状態を示す側面図であり、ラックギヤ５は下方向に回動する
【００１３】
　次に、図３の（ａ）は上方向にチルト動作した図面である。ラックギヤ５と光ピックアップ１を強固に結合すれば、図２の（ａ）のようにラックギヤ５は傾き、ピニオンギヤ７に斜めに当接する。しかし、結合部分６に弾力性を持たせることにより、ラックギヤ５は光ピックアップ１に対して回動することができるので、ラックギヤ５の歯はピニオンギヤ７の歯に対して、平行に当接することができる。
【００１４】
　図３の（ｂ）は下方向にチルト動作した図面であり、同様にラックギヤ５は回動して、ラックギヤ５の歯はピニオンギヤ７の歯に平行に当接することが可能となる。
【００１５】
　以上のように本実施例によれば、ピニオンギヤをチルト軸に近接させることにより、チルト動作時に、ラックギヤとピニオンギヤの当接位置の高さ方向の変化を少なくすることが可能となる。また、ラックギヤと光ピックアップの結合部分に弾力性を持たせることにより、チルト台が傾斜した場合でも、ラックギヤの歯を、ピニオンギヤの歯に対して平行に当接させることが可能となる。よって、チルト台が傾いた場合でも、ラックギヤとピニオンギヤの歯の噛み合わせを安定させ、滑らかに光ピックアップを移動させることができる。」
　 (vi)「【００１６】
　【考案の効果】
　以上のように本考案は、第一にチルト支点の近くにピニオンギヤを設けること、第二にラックギヤを光ピックアップに対し、弾力的に取り付けることにより、簡易に安定した動作をすることができる優れた光ピックアップ送り装置を実現できるものである。」
　 (vii)【図１】【図４】等には送りモーター８から「ラックギヤ５を動かすピニオンギヤ７」までの駆動力伝達機構に小なるモータの回転軸から比較して大なる径のラックギアにベルトで、さらに上記ラックギアの軸からこれと比較して大なるラックギアの歯車を介して光ピックアップ１をガイドシャフト４の軸方向に移動する減速機構をもつ記載がある。
　また、スピンドルモータ２はチルト台３と異なる「板状の台」に載置されている。
　
　以上の記載、及び特に【図１】【図２】【図４】を参照して整理すると、刊行物１には、以下の発明が記載されているものと認める。
　
　「光ピックアップ１もしくは光ピックアップと一体になった移動台と、
ガイドシャフト４と、
光ピックアップ１を移動させるラックギヤ５と、
弾力的にたわむことができるラックギヤ５と光ピックアップ１の結合部６と、チルト台３の外部の固定側にありラックギヤ５を動かすピニオンギヤ７と、同じく固定側にある送りモーター８と、
チルト軸９を中心に回動するチルト台３と、
スピンドルモーター２と、ディスクが載るターンテーブル１０と、
　からなる光ピックアップ送り装置。」（符号は図面との対応させる為に付した。以下「刊行物１発明」という。） 
 　 
　同じく、原査定の理由に引用された刊行物である実願昭６２−０３２８９６号（実開昭６３−１４２０１４号）のマイクロフィルム（以下「刊行物２」という。）は光学式ディスクプレーヤに関するものであって、図面と共に以下の記載がある。
　 (viii)「　　　　　　　　　
実施例
　以下、本考案の実施例としての光学式ディスクプレーヤの要部を添付図面を参照しつつ説明する。なお、当該光学式ディスクプレーヤは第８図に示された光学式ディスクプレーヤとほぼ同様に構成されており、以下の説明において第８図に示された光学式ディスクプレーヤと同一又は対応する部分については同じ参照符号を用いている。
　第１図に示されているように、
ベース５に対して支持ピン７を介して揺動自在に取り付けられた可動ベース６の一端部にはカム当接面６ａが形成されている。第２図及び第３図に示されるように、このカム当接面にはカム２１が当接している。カム２１は歯車２２と同軸に設けられたものであり、他の歯車２３，プーリ２４，ベルト２５及び小プーリ２６を介してモータ２７によって回転駆動される。なお、これら歯車及びプーリはベース５上に設けれたブラケット２８（第２図に図示）に取り付けれている。
　
　(2-3)対比・判断 
　〔対比〕 
　 (a)刊行物１発明の「光ピックアップもしくは光ピックアップと一体になった移動台」は、本件補正後発明における「光学ピックアップ機構が搭載されたキャリッジ」に相当する。 
　 (b)刊行物１発明の「ガイドシャフト」は、本件補正後発明における「キャリッジを光ディスクの半径方向に摺動自在に支持するガイド軸」に相当する。
　 (c)刊行物１発明の「光ピックアップを移動させるラックギヤ」及び「ラックギヤと光ピックアップの結合部と、チルト台の外部の固定側にありラックギヤを動かすピニオンギヤと、同じく固定側にある送りモーター」において、送りモーターは、光ピックアップもしくは光ピックアップと一体になった移動台の駆動源であるから、本件補正後発明における「キャリッジを上記ガイド軸の軸方向に移動させる駆動力を発生する駆動部」に相当し、上記刊行物１発明の「送りモーター」から「ラックギヤを動かすピニオンギヤ」までの駆動力伝達機構は図面を参酌すると、ベルトを用い、小なる歯車から大なる歯車を介して「光ピックアップと一体になった移動台」を「ガイドシャフト」の軸方向に移動する減速機構（上記(2-2)(vii)）をもつものであるから、本件補正後発明における「減速機構を有し、該減速機構を介して駆動部からの駆動力を上記キャリッジに伝達して、キャリッジをガイド軸の軸方向に移動させるスレッド機構」に相当する。 
　 (d)刊行物１発明の「チルト軸を中心に回動するチルト台」は、「ガイドシャフト」が配置されており、本件補正後発明における「ガイド軸が配設されたスキューベース」に相当する。 
　 (e)刊行物１発明の「スピンドルモーター」は図面（上記(2-2)(vii)）を参酌して、チルト台３と異なる「板状の台」に載置されており、さらに実施形態の一つとしての【図２】について、「チルト軸９を中心に上方向にチルト動作をした側面図であり、ラックギヤ５もチルト軸９を中心に回動する」（上記(2-2)(v)【００１２】）と記載されていて、チルト軸９をもって傾動する角度調整機能、ないし、傾き調整機能を有するものである。ここで、チルト台３は、「スピンドルモーター」を載置する「板状の台」に対し相対的に傾動可能な構成であることも明らかであるから、上記チルト台３と異なる「板状の台」は、本件補正後発明における「シャーシ」と共通すると共に、刊行物１発明のチルト軸９を中心とするチルト動作形態、及び、チルト台３のチルト動作することはチルト調整機構を駆動する駆動部が存在することは自明であるから、これは本件補正後発明における「スキューベースをシャーシに対して傾動させて、光学ピックアップの光ディスクに対するスキュー角を調整するスキュー調整機構」及び「スキュー調整機構を駆動するスキュー駆動部」を有していることで共通する。
　 (f)上記(e)で対比した「板状の台」の近傍には「光ピックアップ」を「ガイドシャフト」の軸方向に移動する減速機構と、光ピックアップ送りモータ８を設けていることが図面を参酌して明らかで、これは本件補正後発明における「シャーシ（近傍）に、スレッド機構の上記減速機構と、駆動部と、が設けられたディスクドライブ装置」に相当する。
　 (g)刊行物１発明の「 光ピックアップ送り装置」は本件補正後発明における「ディスクドライブ装置」に相当する。
 　 
　結局、本件補正後発明と刊行物１発明との［一致点］と［相違点］は以下のようになる。     　
　
　［一致点］ 
　「光学ピックアップ機構が搭載されたキャリッジと、
　キャリッジを光ディスクの半径方向に摺動自在に支持するガイド軸と、
　キャリッジを上記ガイド軸の軸方向に移動させる駆動力を発生する駆動部と、
　減速機構を有し、該減速機構を介して駆動部からの駆動力をキャリッジに伝達して、キャリッジをガイド軸の軸方向に移動させるスレッド機構と、
　ガイド軸が配設されたスキューベースと、
　シャーシと、
　スキューベースを上記シャーシに対して傾動させて、光学ピックアップの光ディスクに対するスキュー角を調整するスキュー調整機構と、
　スキュー調整機構を駆動するスキュー駆動部と、を有するディスクドライブ装置であって、
　シャーシ（近傍）に、スレッド機構の減速機構と、駆動部と、が設けられた
　ディスクドライブ装置。」の点。 
 　 
　［相違点］ 
　 (イ)本件補正後発明は、スキューベースの支持について「スキューベースを支持するシャーシ」と、スキューベースをシャーシで支持しているものであるが、刊行物１発明のものにはこの構成に関する明確な記載がない点。     　
　 (ロ)本件補正後発明は、スレッド機構の減速機構と、駆動部とスキュー駆動部について「シャーシ
上
   　
　　〔判断〕 
　−上記(イ)について−
　刊行物１発明においては、図面上からは「板状の台」の近傍に「スレッド機構の減速機構と、駆動部とスキュー駆動部」を配置しているので、「板状の台」の上に共通して設ける構成としても、このことで特段の作用効果を奏するようになるものと認められないことも勘案して、設計上適宜なし得る事項である。
　
　−上記(ロ)について−
　刊行物２は刊行物１発明及び本件補正後発明と同じ技術範囲に属するもので、刊行物２には「ベース５に対して、支持ピン７を介して揺動自在に取り付けられた可動ベース６の一端部にはカム当接面６ａが形成されている。」及び「このカム当接面にはカム２１が当接している。カム２１は歯車２２と同軸に設けられたものであり、他の歯車２３，プーリ２４，ベルト２５及び小プーリ２６を介してモータ２７によって回転駆動されてる。なお、これら歯車及びプーリはベース５上に設けれたブラケット２８（第２図に図示）に取り付けれている。」との記載（上記(2-2)(viii)）がある。要するに、「ベース５」上に「可動ベース６」と「カム２１は歯車２２と同軸に設けられたものであり、他の歯車２３，プーリ２４，ベルト２５及び小プーリ２６を介してモータ２７によって回転駆動」する構成要素が設けられている。上記「可動ベース６」「ベース５」及び「カム２１は歯車２２と同軸に設けられたものであり、他の歯車２３，プーリ２４，ベルト２５及び小プーリ２６を介してモータ２７によって回転駆動」の各々は、刊行物１発明では「チルト台３」「板状の台」及び「光ピックアップ１を移動させるラックギヤ５」乃至「ラックギヤ５と光ピックアップ１の結合部６と、チルト台３の外部の固定側にありラックギヤ５を動かすピニオンギヤ７と、同じく固定側にある送りモーター８」に、対応するものである。
　そして、モータ等の重量のあるものを可動部から除き、可能な限り軽量化することで迅速に精度よく駆動することが好ましいことは自明（例：特開平０９−０９１７３１号公報の【００１９】等，特開平０２−１３０７３４号公報の５頁右上欄８〜１６行等，特開平０８−２４９６９５号公報の【０００６】等，特開平０９−０３５３１９号公報の【００９２】等，特開平０９−１８０２２９号公報の【００５２】【００５３】等）であることから、上記刊行物２に記載の技術的事項を刊行物１発明に採用してのチルト台、チルト軸の駆動部とも「板状の台」に設けていくことでの上記相違点(ロ)の構成は当業者が容易に想到できるものである。
　
　そして、上記相違点(イ)(ロ)の判断を総合しても、本件補正後発明が奏する効果は刊行物１，刊行物２に記載された発明及び周知技術から当業者が容易に予測できたものであって、格別のもといえない。
　
　結局、本件補正後発明は、刊行物１，刊行物２に記載された発明及び周知技術に基づいて当業者が容易に発明をすることができたものと認められるから、特許法第２９条第２項の規定により、特許出願の際独立して特許を受けることができないものである。 
　
　−補足−
　審判請求人は審判請求の理由で、
「３．原審の各引例に示された発明と本願発明との比較
　先ず、原審の引例１に開示されているのは、光学式信号読み取り機能を有する光ピックアップ１を光ディスクの内外周方向に移動させる光ピックアップ送り装置であり、光ピックアップ１が光ディスクに対して一定の距離と角度に保つことができるように、光ピックアップに取付けられたラックギア５を駆動するピニオンギア７を、光ピックアップ１が移動する台を回動させるチルト機構の回動支点に近接した位置に設けることなどであります（原審の引例１の図１、図２（ａ）（ｂ）、図３（ａ）（ｂ）参照）。
　また、原審の引例２に開示されているのは、ベース５に対して可動ベース６が揺動自在に支持され、この可動ベース６に、キャリッジ９がガイドシャフト８によって揺動自在に支持された構成などであります（原審の引例２の第８図等参照）。
　このように見てくると、原審の引例１、２には、補正後の本願発明の具体的構成、すなわち、
キャリッジをガイド軸の軸方向に移動させるスレッド機構を構成する減速機構と、この減速機構を介してキャリッジを移動させる駆動力を発生する駆動部と、スキュー調整機構を駆動するスキュー駆動部をシャーシ上に配設することで、スキュー機構により動かされるスキューベースには光学ピックアップ機構が搭載されたキャリッジとキャリッジを摺動自在に支持するガイド軸しか設けないようにすることによって、スキューベースの更なる軽量化を実現し、より鋭敏なスキュー調整を可能にするという構成
　しかしながら、「
スレッド機構を構成する減速機構と、この減速機構を介してキャリッジを移動させる駆動力を発生する駆動部
　また、本件補正後発明が有している「
スレッド機構を構成する減速機構
キャリッジを移動させる駆動力を発生する駆動部
スキュー駆動部
スキューベース
搭載
スキューベースには光学ピックアップ機構が搭載されたキャリッジとキャリッジを摺動自在に支持するガイド軸しか設けないようにすること
　また、上記本件補正後発明の有する「 
減速機構
駆動部
　さらに、上記本件補正後発明の有する「
スキュー駆動部
スキュー調整機構を駆動するスキュー駆動部をシャーシ上に配設する
　加えて、刊行物１発明のものが「光ピックアップ送りモータ８」「駆動力伝達機構のピニオンギア７までの駆動機構」を少なくとも「チルト台３」に載置してない構成は、そもそも
回動動作する部品に対して可能な限り軽量化する
　以上のとおりで請求人の主張は採用できない。
　
　３．補正についてのむすび 
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
 　 
 　 
III．本願発明 
　１．本願発明 
　平成１８年４月２４日付けの手続補正は、上記のとおり却下されたので、本願請求項に係る発明は、平成１７年８月２９日付け手続補正で補正された特許請求の範囲に記載されたとおりのものと認められるところ、その【請求項１】の記載は、上記II．〔理由〕−本件補正前− に記載（以下「本願発明」という。）しているとおりのものである。 
 　 
　２．刊行物及び記載の内容について 
　原査定の理由に記載された事項は、上記したとおりである（上記「II．〔理由〕２．(2-2)の各刊行物及び記載の内容について」）。 
 　 
　３．対比・判断 
　本願発明は、上記II．で検討した本件補正後発明から、シャーシ上に、キャリッジをガイド軸の軸方向に移動させるスレッド機構を構成する減速機構と、この減速機構を介してキャリッジを移動させる駆動力を発生する駆動部と、スキュー調整機構を駆動するスキュー駆動部とが設けられた点について、
「
上記キャリッジを上記ガイド軸の軸方向に移動させる駆動力を発生する駆動部と、
　
減速機構を有し、該減速機構を介して上記駆動部からの駆動力を上記キャリッジに伝達して、
「
上記スキュー調整機構を駆動するスキュー駆動部と、を有するディスクドライブ装置であって、
　
上記シャーシ上に、上記スレッド機構の上記減速機構と、上記駆動部と、上記スキュー駆動部とが設けられた
等の構成要件で、上記下線部を削除して、
「上記キャリッジをガイド軸の軸方向に移動させるスレッド機構と、
　
上記スレッド機構を駆動する駆動部とを有し
　
上記駆動部を上記シャーシに配設した
との、上記下線部の構成要件を付加する構成としても、言い回しを変えているだけで、ディスクドライブ装置については上位概念の構成としたものであるから、本願発明の構成要件を実質的に全て含み、さらに他の構成要件を付加したものに相当する本件補正後発明が、上記「II．〔理由〕２．(2-3)の対比・判断」に記載したとおり、刊行物１，刊行物２及び必要に応じての周知事項の記載に基づいて当業者が容易に発明をすることができたものと認められるから、本願発明も、同様の理由により当業者が容易に発明をすることができたものである。 
 　 
　４．むすび 
　以上のとおりであるから、本願請求項１に記載された発明は、特許法第２９条第２項の規定により特許を受けることができない。 
　したがって、本願は、その余の請求項について論及するまでもなく、拒絶すべきものである。 
 　 
　よって、結論のとおり審決する。